(57)【要約】      （修正有）【課題】開梱の際に梱包補助シート等の別部材を設けることなく、しかも包装箱から緩衝体と組合わされた被包装物品を確実に取出すことができる緩衝体と緩衝装置を提供する。【解決手段】被包装物品１０と段ボール箱の側板との間に介在される発泡樹脂製の緩衝体１１、１２の所定の位置に係止部２４、３０を形成するとともに、これらの係止部２４、３０に手を掛けるために手を挿通する溝部２５、３１を設けるようにし、これらの溝部２５、３１を通して手を挿入して係止部２４、３０に掛けて持上げる。【選択図】図６
2005112367.tif 000002
【特許請求の範囲】
【請求項１】
被包装物品と組合わされて前記被包装物品を緩衝する発泡樹脂製の緩衝体において、
手を掛ける係止部と、前記係止部に掛けるために手を挿入する溝部とを設けた包装用緩衝体。
【請求項２】
前記係止部がこの緩衝体の開口の縁の部分に形成されることを特徴とする請求項１に記載の包装用緩衝体。
【請求項３】
前記係止部がこの緩衝体の外表面に形成された凹部であることを特徴とする請求項１に記載の包装用緩衝体。
【請求項４】
前記溝部が前記緩衝体の外表面に沿って上方から下方に向けて前記係止部に連通するように形成されることを特徴とする請求項２または請求項３に記載の包装用緩衝体。
【請求項５】
スチロール樹脂の発泡成形体であることを特徴とする請求項１に記載の包装用緩衝体。
【請求項６】
被包装物品を包装箱に入れて梱包する際に、前記被包装物品と前記包装箱との間の隙間に発泡樹脂製の緩衝体を介在させるようにした包装装置において、
前記緩衝体に手を掛ける係止部と、前記係止部に手を掛けるために手を挿入する溝部とを設けたことを特徴とする包装装置。
【請求項７】
前記係止部と前記溝部とが前記緩衝体の外表面上であって前記包装箱の側板の内表面に対向する位置に形成され、前記緩衝体と前記包装箱の側板の内表面との間に手を挿入することを特徴とする請求項６に記載の包装装置。
【請求項８】
前記包装箱の上部開口を開放し、前記包装箱から被包装物品を取出す際に前記上部開口から前記溝部を通して前記緩衝体の外表面上の係止部に手を掛け、前記被包装物品を前記緩衝体に組合わされた状態で取出すことを特徴とする請求項７に記載の包装装置。
【発明の詳細な説明】
【技術分野】
【０００１】
本発明は包装用緩衝体および包装装置に係り、とくに被包装物品を包装箱に入れて梱包する際に、被包装物品と包装箱との間の隙間に介在される発泡樹脂製の緩衝体と、この緩衝体を用いた包装装置に関する。
【背景技術】
【０００２】
各種の電子機器を物流に供するために、従来より電子機器を包装箱内に収納して保護している。ここで物流段階において外部からの衝撃が上記電子機器に加わると、電子機器を損傷する可能性がある。そこで従来より、発泡ポリスチレン樹脂から成る緩衝体を予め用意しておき、このような緩衝体を電子機器と包装箱との間の隙間に介在させるようにしている。外部から衝撃が加わると、この衝撃が包装箱を通して発泡成形体に加わるものの、この発泡成形体が衝撃を吸収するために、電子機器への衝撃の伝達が阻止され、これによって電子機器が衝撃から保護される。
【０００３】
このように物流段階における電子機器の衝撃からの保護を目的として用いられる包装用緩衝体によって、とくに包装された物品を開梱して電子機器を取出す際に、包装用緩衝体が電子機器と包装箱との間に介在され、包装用緩衝体と包装箱の内表面との間の摩擦による摺動抵抗によって電子機器を取出し難い問題がある。
【０００４】
このような問題点に鑑みて、特開２０００−１０９０５９号公報には、製品を落下または振動から保護するクッション材と、製品とクッション材を収納するカートンケースと、製品にクッション材を取付けた状態で、上面を開放してクッション材の外周を挟み込むようにしたコの字状の梱包補助シートを備え、梱包補助シートのコの字状の端部は製品の上面より上に出ていて、該端部には手を差し込めることのできる取手が設けられ、大きくて重量のある製品を梱包箱から引上げる場合に、バランスを崩して落下して傷つけることを防止するようにした梱包材が開示されている。
【０００５】
このような構成によれば、とくに補助シートの端部に取付けられている取手を利用して、包装箱から製品を確実に取出すことができる利点を有する。ところがこのような構造によれば、クッション材の他にさらに端部に取手を有する梱包補助シートを必要とし、このような梱包補助シートによって包装材の部品点数が増加し、あるいはまた包装のコストが増大する欠点がある。
【０００６】
【特許文献１】特開２０００−１０９０５９号公報
【特許文献２】特開２００１−３１０６５号公報
【発明の開示】
【発明が解決しようとする課題】
【０００７】
本願発明の課題は、発泡樹脂から成る緩衝体を用いた包装装置において、とくに開梱の際に被包装物品を確実に取出すことができるようにすることである。
【０００８】
本願発明の別の課題は、梱包補助シートのような緩衝体とは別部材から成る引出し手段を用いることなく、しかも緩衝体と一緒に被包装物品を包装箱から取出すことができるようにすることである。
【０００９】
本願発明の別の課題は、部品点数を増加させることなく、低コストでしかも確実に被包装物品を開梱して取出すことができるようにすることである。
【００１０】
本願発明の上記の課題および他の課題は、以下に述べる発明の技術的思想およびその実施の形態によって明らかにされる。
【課題を解決するための手段】
【００１１】
本願の主要な発明は、被包装物品と組合わされて前記被包装物品を緩衝する発泡樹脂製の緩衝体において、
手を掛ける係止部と、前記係止部に掛けるために手を挿入する溝部とを設けた包装用緩衝体に関するものである。
【００１２】
ここで前記係止部がこの緩衝体の開口の縁の部分に形成されることが好ましい。また前記係止部がこの緩衝体の外表面に形成された凹部であることが好ましい。また前記溝部が前記緩衝体の外表面に沿って上方から下方に向けて前記係止部に連通するように形成されることが好ましい。またスチロール樹脂の発泡成形体であることが好ましい。
【００１３】
包装装置に関する主要な発明は、被包装物品を包装箱に入れて梱包する際に、前記被包装物品と前記包装箱との間の隙間に発泡樹脂製の緩衝体を介在させるようにした包装装置において、
前記緩衝体に手を掛ける係止部と、前記係止部に手を掛けるために手を挿入する溝部とを設けたことを特徴とする包装装置に関するものである。
【００１４】
ここで前記係止部と前記溝部とが前記緩衝体の外表面上であって前記包装箱の側板の内表面に対向する位置に形成され、前記緩衝体と前記包装箱の側板の内表面との間に手を挿入することが好ましい。また前記包装箱の上部開口を開放し、前記包装箱から被包装物品を取出す際に前記上部開口から前記溝部を通して前記緩衝体の外表面上の係止部に手を掛け、前記被包装物品を前記緩衝体に組合わされた状態で取出すこが好ましい。
【発明の効果】
【００１５】
梱包用緩衝体に関する主要な発明は、手を掛ける係止部と、係止部に掛けるために手を挿入する溝部とを設けたものである。
【００１６】
従ってこのような包装用緩衝体によれば、溝部を通して手を挿入し、係止部にこの手を掛けることによって、包装用緩衝体を介してこの包装用緩衝体と組合わされた状態で被包装物品を取出すことが可能になる。
【００１７】
包装装置に関する主要な発明は、包装箱内に入っている被包装物品を緩衝体に組合わされた状態で取出すための緩衝体に手を掛ける係止部と、上記係止部に手を掛けるために手を包装箱の側板の内側から挿入する溝部とを設けたものである。
【００１８】
従ってこのような包装装置によれば、包装箱内に包装用緩衝体と組合わされた状態で収納されている被包装物品を取出す際に、溝部を通して手を挿入して緩衝体の係止部に手を掛け、このような状態で持上げることによって包装用緩衝体と包装箱の内表面との間の摩擦による摺動抵抗に抗して包装箱から緩衝体に組合わされたままの状態の被包装物品を容易に取出すことが可能になる。
【発明を実施するための最良の形態】
【００１９】
以下本願発明を図示の実施の形態によって説明する。図１〜図６は本願の第１の実施の形態の包装用緩衝装置を示すものであって、この包装用緩衝装置は図１に示すように、オーディオ機器等の被包装物品１０を左右一対の緩衝体１１、１２と組合わせた状態で段ボール１３内に収納するようにした梱包形態を採用している。このような梱包形態によると、被包装物品であるオーディオ機器１０は、左右の緩衝体１１、１２によって緩衝された状態で段ボール１３によって搬送される。従って外部から衝撃が加わっても、この衝撃が緩衝体１１、１２によって緩衝され、被包装物品１０に伝達されることが防止される。これによってオーディオ機器等の被包装物品１０を衝撃から保護し、その損傷を未然に防止することが可能になる。
【００２０】
段ボール箱１３は上部開口１６を通して左右一対の緩衝体１１、１２と組合わされた被包装物品１０を収納するようになっており、この状態で蓋板１７および補助板１８によって上部開口１６を閉じるようにしている。
【００２１】
被包装物品１０を緩衝保護するための緩衝体１１、１２の内の左側の緩衝体１１には図２〜図４に示すように矩形の開口２３が形成される。この開口２３は緩衝体１１の重量を軽減し、その使用材料を節約するための肉抜き用の開口である。そして上記開口２３の上縁の部分に係止部２４が形成され、この部分に手を掛けるようにしている。そして係止部２４に手を掛けるために手を挿入する溝部２５がこの緩衝体１１の外表面に沿って上方から下方に向けて形成される。
【００２２】
これに対して反対側の緩衝体１２には図５に示すように、そのほぼ中央部に円形の開口２９が形成される。なおこの開口２９もスチロール樹脂の使用量を節約し、軽量化を図るための開口であって肉抜き用の開口になっている。そして上記開口２９の上縁部が係止部３０になっている。そしてこの係止部３０に連続するように緩衝体１２の外表面上には上方から下方に延びるように溝部３１が形成されている。
【００２３】
図６はこのような緩衝体１１、１２と被包装物品１０との組合わせを示すものであって、被包装物品１０の左右両側はそれぞれ緩衝体１１、１２の内側の凹部に受けられ、これによって緩衝体１１、１２と組合わされることになる。
【００２４】
次にこのような緩衝体１１、１２と組合わされた被包装物品１０を包装箱１３から取出す場合には、図１および図６に示すように、緩衝体１１、１２の係止部２４、３０の部分に手を掛けて持上げるようにする。ここで左右の緩衝体１１、１２の外表面上にはそれぞれ溝部２５、３１が形成されている。従って段ボール箱１３の蓋板１７および補助板１８を開いて上部開口１６を開放したならば、手を上記緩衝体１１、１２の溝部２５、３１内に挿入し、手の先端を係止部２４、３０に係止させて上方へ持上げればよい。
【００２５】
溝部２５、３１を形成してあるために、緩衝体１１、１２の外表面と段ボール箱１３の側板の内表面との間に丁度手が入る大きさの隙間が形成され、この隙間を通して手を挿入し、緩衝体１１、１２の係止部２４、３０に引掛けて図６に示すように持上げることができる。これによって段ボール箱１３からの被包装物品１０の取出し作業が非常に容易になる。
【００２６】
なお図６に示す緩衝体１１、１２の手を掛ける係止部２４、３０の強度が不足する場合には、同図において鎖線で示すようにリブ３３、３４をそれぞれ形成し、このようなリブ３３、３４によって係止部２４、３０の補強を図ることが好ましい。このようなリブ３３、３４による補強は、被包装物品１０の重量が大きい場合に係止部２４、３０の部分が破壊するのを防止する役割を果す。
【００２７】
次に別の実施の形態を図７〜図９によって説明する。この実施の形態は図７に示す左側の緩衝体１１の外表面上に開口１６を形成することなく、これに代えてその外表面上に凹部３５を形成している。そしてこの凹部３５に連通するように溝部２５を形成している。なお溝部２５の上端側の部分であって緩衝体１１の上面と側面との間のエッジの部分に切欠き３７を設けるようにしてもよい。
【００２８】
また反対側の緩衝体１２については、その外表面上に凹部３６を形成するとともに、この凹部３６と連続する溝部２５を緩衝体１２の外表面に上下方向に沿って形成している。
【００２９】
従ってこのような緩衝装置によれば、とくに図９に示すように、溝部２５、３１の部分を通して上方から左右の緩衝体１１、１２の外表面に沿って手を挿入し、挿入した手を係止部２４、３０に掛けて緩衝体１１、１２で挟着された被包装物品１０を段ボール箱１３から取出すことが可能になる。
【００３０】
このような形態によって、とくに溝部２５、３１を緩衝体１１、１２の外表面上に設けることによって、緩衝体１１、１２の外表面と段ボール箱１３の側板との間に手を容易に挿入することができ、これによって緩衝体１１、１２と組合わされた被包装物品１０を確実に段ボール箱１３から取出すことが可能になる。しかも緩衝体１１、１２には開口が形成されず、有底の凹部３５、３６が形成されるだけであるから、緩衝体１１、１２の強度が高く、大きな重量に耐える十分な強度を発揮することが可能になり、持上げる途中で緩衝体１１、１２のとくに係止部２４、３０が破壊することがない。
【産業上の利用可能性】
【００３１】
本願発明は発泡樹脂製の緩衝体によって緩衝させた状態で梱包する各種の包装装置に広く適用可能である。
【図面の簡単な説明】
【００３２】
【図１】包装装置の分解斜視図である。
【００３３】
【図２】左側の緩衝体の要部正面図である。
【００３４】
【図３】同要部縦断面図である。
【００３５】
【図４】左側の緩衝体に指を掛けた状態の正面図である。
【００３６】
【図５】右側の緩衝体の正面図である。
【００３７】
【図６】緩衝体と組合わされた状態で被包装物品を取出す状態の縦断面図である。
【００３８】
【図７】変形例の左側緩衝体の正面図である。
【００３９】
【図８】同右側緩衝体の正面図である。
【００４０】
【図９】同緩衝体と組合わされた被包装物品を取出す動作を示す縦断面図である。
【符号の説明】
【００４１】
１０‥‥被包装物品、１１‥‥緩衝体（左）、１２‥‥緩衝体（右）、１３‥‥段ボール箱、１６‥‥上部開口、１７‥‥蓋板、１８‥‥補助板、２３‥‥矩形の開口、２４‥‥係止部、２５‥‥溝部、２９‥‥円形の開口、３０‥‥係止部、３１‥‥溝部、３３、３４‥‥リブ、３５、３６‥‥凹部、３７‥‥切欠き
【図１】
2005112367.tif 000003
【図２】
2005112367.tif 000004
【図３】
2005112367.tif 000005
【図４】
2005112367.tif 000006
【図５】
2005112367.tif 000007
【図６】
2005112367.tif 000008
【図７】
2005112367.tif 000009
【図８】
2005112367.tif 000010
【図９】
2005112367.tif 000011